(57)【要約】【課題】  読み取り部を通過した原稿が揺れにくくなり、ジターや色ズレが発生しにくくなり、また原稿搬送が安定する自動原稿送り装置とこれを用いた画像形成装置を提供する。【解決手段】  読取ベルト駆動ローラ１９、読取ベルト加圧ローラ２７、読取ベルト従動ローラ４４に読取ベルト２０が掛け回してあり、読取ベルト従動ローラ４４はスケール５３上に配置し、読取ベルト２０をこの位置まで配回す。スケール５３には、原稿を掬い上げるために傾斜がついている。スリットガラス５２上で画像を読み取られた原稿Ｐは、スケール５３上を通過するが、この時、原稿Ｐの先端部分と原稿搬送方向に回転している読取ベルト２０とはほぼ同速度で動いており、そのため両者の相対線速はほぼ０となっている。スリットガラス５２上を通過した原稿の先端がスケール５３上を上る時に発生し得る原稿先端の揺れや振れがなく、ジターの発生やカラーコピー時の色ズレ等が防止できる。【選択図】        図２
2005089116.tif 000002
【特許請求の範囲】
【請求項１】
原稿を搬送しながら読み取りを行う自動原稿送り装置において、固定位置で読み取り部材上の原稿を読み取る原稿読取手段と、前記読み取り部材に前記原稿を接触させながら搬送する原稿搬送手段を備え、該原稿搬送手段が複数のローラに無端ベルト状の読取ベルトを掛け回してなり、前記ローラの一を前記固定位置の前記原稿の搬送方向上流側に、前記ローラの他の一を前記固定位置の前記原稿の搬送方向下流側に配置し、前記読み取り部材の原稿搬送方向下流側に搬送される原稿が接触する斜面を有する斜面部材を配し、前記読み取りベルト該斜面部材近傍まで配回してなることを特徴とする自動原稿送り装置。
【請求項２】
請求項１の自動原稿送り装置において、前記原稿搬送手段の原稿搬送方向下流の近傍部位に第２の原稿搬送手段を配してなることを特徴とする自動原稿送り装置。
【請求項３】
請求項２の自動原稿送り装置において、前記原稿搬送手段が、一体成形してなるフレーム部材を一対含み、少なくとも前記固定位置に最も近い原稿搬送方向上流側のローラと、最も前記固定位置から離れている原稿搬送方向下流のローラとを前記フレーム部材間に組み付けてなることを特徴とする自動原稿送り装置。
【請求項４】
請求項３の自動原稿送り装置において、前記フレーム部材が、前記読み取り部材と前記斜面部材に当接可能な突当て部を有することを特徴とする自動原稿送り装置。
【請求項５】
請求項４の自動原稿送り装置において、前記突当て部を前記一対のフレーム部材のそれぞれに設けてなることを特徴とする自動原稿送り装置。
【請求項６】
請求項１ないし５のいずれかの自動原稿送り装置を用いてなることを特徴とする画像形成装置。
【発明の詳細な説明】
【技術分野】
【０００１】
本発明は、シートスルー方式を使用する自動原稿送り装置とこれを用いた画像形成装置に関する。
【背景技術】
【０００２】
自動原稿送り装置の原稿を読み取る読み取り部に無端ベルトを用いた従来技術は公知であるが、無端ベルトの読み取り部外の配回し、レイアウトについては、レジストローラや排出ローラの位置によって決まるものとされ、特にスケールとの位置関係やコンタクトガラス等との位置関係の維持方法等についての技術は本願発明者が知るところでは存在していない。
【特許文献１】特開平８−３００４４号公報
【特許文献２】特開平６−２２０８０号公報
【特許文献３】特開平１１−５９９４９号公報
【発明の開示】
【発明が解決しようとする課題】
【０００３】
ところで、原稿を流し読みする自動原稿送り装置の読み取り部に、高品質画像実現のために無端ベルトを用いた場合、無端ベルトがコンタクトガラス上のみに存在し、原稿搬送方向でその下流側にあるスケール上にまで配回されておらず、固定されたガイド板等が存在すると、読み取り部を通過した原稿の先端がスケール上面を上る時に固定されたガイド板に当たり、その衝撃で読取中の原稿が揺れてジターが発生したり、カラーコピー時は色ズレが発生したりする。
【０００４】
また無端ベルトには相対する位置に紙搬送に適切な圧を有する従動コロ等が対応配置されないため、無端ベルトには原稿を搬送する機能は無く、したがって無端ベルトだけでは原稿搬送が不安定になり易い。
【０００５】
さらにこの種の装置では、無端ベルトとコンタクトガラスやその他の相対する部材とのギャップ維持や管理が重要である。ギャップが狙い値より小さいと原稿搬送時に搬送抵抗が増大し、原稿の搬送速度が変化するおそれが生じ、またギャップが大きくなると搬送ベルトとコンタクトガラス間で読み取り中の原稿のあばれが増大するためであり、これらはすべて原稿の読み取り精度を低下させ、画像品質の低下を招く。
【０００６】
本発明は、このような問題点を解決するためになしたものである。
【課題を解決するための手段】
【０００７】
本発明の請求項１に係る自動原稿送り装置は、原稿を搬送しながら読み取りを行う自動原稿送り装置において、固定位置で読み取り部材上の原稿を読み取る原稿読取手段と、前記読み取り部材に前記原稿を接触させながら搬送する原稿搬送手段を備え、該原稿搬送手段が複数のローラに無端ベルト状の読取ベルトを掛け回してなり、前記ローラの一を前記固定位置の前記原稿の搬送方向上流側に、前記ローラの他の一を前記固定位置の前記原稿の搬送方向下流側に配置し、前記読み取り部材の原稿搬送方向下流側に搬送される原稿が接触する斜面を有する斜面部材を配し、前記読み取りベルト該斜面部材近傍まで配回してなることを特徴とする。
【０００８】
同請求項２に係るものは、請求項１の自動原稿送り装置において、前記原稿搬送手段の原稿搬送方向下流の近傍部位に第２の原稿搬送手段を配してなることを特徴とする。
【０００９】
同請求項３に係るものは、請求項２の自動原稿送り装置において、前記原稿搬送手段が、一体成形してなるフレーム部材を一対含み、少なくとも前記固定位置に最も近い原稿搬送方向上流側のローラと、最も前記固定位置から離れている原稿搬送方向下流のローラとを前記フレーム部材間に組み付けてなることを特徴とする。
【００１０】
同請求項４に係るものは、請求項３の自動原稿送り装置において、前記フレーム部材が、前記読み取り部材と前記斜面部材に当接可能な突当て部を有することを特徴とする。
【００１１】
同請求項５に係るものは、請求項４の自動原稿送り装置において、前記突当て部を前記一対のフレーム部材のそれぞれに設けてなることを特徴とする。
【００１２】
同請求項６に係るものは、請求項１ないし５のいずれかの自動原稿送り装置を用いてなることを特徴とする。
【発明の効果】
【００１３】
本発明は、読み取り部を通過した原稿が揺れにくくなり、ジターや色ズレが発生しにくくなり、また原稿搬送が安定するという効果がある。
【発明を実施するための最良の形態】
【００１４】
以下本発明を実施するための最良の形態を、図に示す実施例を参照して説明する。
【実施例】
【００１５】
図１は本発明に係る自動原稿送り装置の一実施例とこれを用いた画像形成装置の一実施例を示す図である。図中５０はコピー、プリンタ等の画像形成装置本体を示し、その上面に読取部（あるいは読み取り位置）５１、スリットガラス５２、原稿スケール５３、プラテンガラス５４を備えている。自動原稿送り装置は、画像形成装置５０上に搭載してあり、原稿テーブル２、ピックアップローラ７、給紙ベルト９、リバースローラ１０、プルアウトローラ１２、ターンローラ１４、読取入口ローラ１６、読取ベルト駆動ローラ１９、無端ベルトからなる読取ベルト２０、読取出口ローラ２１、読取ベルト加圧ローラ２７、排紙ローラ２８、排紙トレイ２９、読取ベルト従動ローラ４４を備えている。また、各テーブル、各ベルト、各ローラとの間には原稿を搬送可能とするための搬送パスが形成してある。
【００１６】
図２は、読取ベルト２０とその駆動系を示す概略図である。読取ベルト駆動ローラ１９、読取ベルト加圧ローラ２７、読取ベルト従動ローラ４４に読取ベルト２０が掛け回してある。読取ベルト従動ローラ４４はスケール５３上に配置してあり、これに伴い読取ベルト２０もこの位置まで配回してある。スケール５３には、スリットガラス５２上で画像を読み取られた原稿を掬い上げるために傾斜がついている。
【００１７】
図３により本実施例の動作を説明する。スリットガラス５２上で画像を読み取られた原稿Ｐは、スケール５３上を通過するが、この時、原稿Ｐの先端部分と原稿搬送方向に回転している読取ベルト２０とはほぼ同速度で動いており、そのため両者の相対線速はほぼ０となっている。そして、従来のように固定のガイド板がないため、スリットガラス５２上を通過した原稿の先端がスケール５３上を上る時に発生し得る原稿先端の揺れや振れがなく、したがってその衝撃で発生する読取中の原稿の揺れによるジターの発生やカラーコピー時の色ズレ等もなく、画像品質の低下を防止可能となる。
【００１８】
また図４に示すように、原稿搬送方向最下流にあたる読取ベルト従動ローラ４４の近傍に読取出口ローラ２１を備えている。読取出口ローラ２１には原稿を搬送するために適切な圧を生じるための従動コロ２１ａが当接している。原稿Ｐの搬送力が不安定になりがちな読取ベルト２０の直ぐ近くに搬送力を有する読取出口ローラ２１を配置することで、原稿Ｐが読取ベルト２０を通過する時に、より安定した搬送性を確保可能としている。
【００１９】
さらに図５に示すように、読取ベルト駆動ローラ１９、読取ベルト加圧ローラ２７を保持するハウジング１０１を備えている。ハウジング１０１はフレーム部材であり、ローラ類を一体成形したフレームからなるハウジング１０１に組み付けることによって、ローラ間の寸法や各ローラと関連部位との寸法を維持し易くしている。すなわち、ハウジング１０１を複数部品より構成する場合に発生する組み付け時のバラツキや各部品の寸法の積み上げによる寸法バラツキを抑制し、原稿Ｐの流し読みに必要な読取ベルト２０とスリットガラス５２、原稿スケール５３、プラテンガラス５４やその他の相対する部材とのギャップを狙い値通りに維持可能としている。
【００２０】
図６はハウジング１０１の詳細図であり、金属系あるいは樹脂系の材料で一体（１つの部品）で形成したハウジング１０１中に、読取ベルト駆動ローラ１９と読取ベルト加圧ローラ２７を保持する形状を設けた形態を示している。
【００２１】
また図７にも示すように、ハウジング１０１の底部には突起１０２が設けてあり、これらの突起１０２がスリットガラス５２とスケール５３に突当る構成となっている。図８は、ハウジング１０１を後方から見て示す。突起１０２がハウジング１０１の後方底部にも設けてあり、前側と後側の両端の突起１０２によってハウジング１０１はスリットガラス５２と前記スケール５３に突当る構成となっている。すなわち、読み取り部を構成するスリットガラス５２やスケール５３の形状に合わせ、長手方向のほぼ両端に突き当て用の突起１０２を設け、読取ベルト２０とスリットガラス５２やその他の相対する部材とのギャップを狙い値通りの維持をより安定させかつ容易に可能として、画像品質の低下防止性を高めてある。
【図面の簡単な説明】
【００２２】
【図１】本発明に係る自動原稿送り装置の一実施例とこれを用いた画像形成装置の一実施例を示す図
【図２】図１の読取ベルトとその駆動系を示す概略側面図
【図３】図２の駆動系の動作を示す側面図
【図４】読取ベルト従動ローラの近傍に設けた読取出口ローラを示す側面図
【図５】読取ベルト駆動ローラや読取ベルト加圧ローラを保持するハウジングを示す斜視図
【図６】ハウジングを単体で示す斜視図
【図７】図５、６のハウジングに読取ベルト駆動ローラや読取ベルト加圧ローラを保持した状態の斜視図
【図８】読取ベルト駆動ローラや読取ベルト加圧ローラを保持したハウジングを図５の反対側から見て示す斜視図
【符号の説明】
【００２３】
２：原稿テーブル
７：ピックアップローラ
９：給紙ベルト
１０：リバースローラ
１２：プルアウトローラ
１４：ターンローラ
１６：読取入口ローラ
１９：読取ベルト駆動ローラ
２０：読取ベルト
２１：読取出口ローラ
２１ａ：従動コロ
２７：読取ベルト加圧ローラ
２８：排紙ローラ
２９：排紙トレイ
４４：読取ベルト従動ローラ
５０：画像形成装置本体
５１：読取部
５２：スリットガラス
５３：原稿スケール
５４：プラテンガラス
１０１：ハウジング
１０２：突起
Ｐ：原稿
【図１】
2005089116.tif 000003
【図２】
2005089116.tif 000004
【図３】
2005089116.tif 000005
【図４】
2005089116.tif 000006
【図５】
2005089116.tif 000007
【図６】
2005089116.tif 000008
【図７】
2005089116.tif 000009
【図８】
2005089116.tif 000010